(57)【要約】【課題】  遠視用レンズを携帯電話に取扱い上の邪魔にならないように組み込む。【解決手段】  携帯電話用バッテリカバーは、電話ボディ11に着脱自在であるカバー本体41を備えている。カバー本体41に遠視用レンズ42が設けられている。カバー本体41と遠視用レンズ42が射出成形により一体成形されている。【選択図】  図１
2006114952.tif 000002
【特許請求の範囲】
【請求項１】
携帯電話用バッテリカバーを構成するための、電話ボディに着脱自在であるバッテリカバー本体と一体化されうるようになされている遠視用レンズ。
【請求項２】
電話ボディに着脱自在であるカバー本体を備えており、カバー本体に遠視用レンズが設けられている携帯電話用バッテリカバー。
【請求項３】
カバー本体と遠視用レンズが射出成形により一体成形されている請求項２に記載の携帯電話用バッテリカバー。
【請求項４】
カバー本体にあけられた孔に遠視用レンズがはめ込まれて双方が接着されている請求項２に記載の携帯電話用バッテリカバー。
【請求項５】
カバー本体および遠視用レンズが重ねあわされて双方が接着されている請求項２に記載の携帯電話用バッテリカバー。
【請求項６】
請求項２〜５のいずれか１つに記載の携帯電話用バッテリカバーを備えている携帯電話。
【発明の詳細な説明】
【技術分野】
【０００１】
この発明は、携帯電話用遠視用レンズ、遠視用レンズ付携帯電話用バッテリカバーおよびそのバッテリカバーを備えた携帯電話に関する。
【背景技術】
【０００２】
この種の携帯電話としては、ストラップの先端に遠視用レンズが取付られているものが知られている（例えば、特許文献１参照。）。
【０００３】
上記従来の携帯電話では、ストラップはぶらぶらするし、その先端に取付られた遠視用レンズは、携帯電話を取扱う上で邪魔になる。
【特許文献１】登録実用新案第３０８４５２６号
【発明の開示】
【発明が解決しようとする課題】
【０００４】
この発明の目的は、携帯電話を取扱う上で邪魔にならない、遠視用レンズ、その遠視用レンズを備えた携帯電話用バッテリカバーおよびそのバッテリカバーを備えた携帯電話を提供することにある。
【課題を解決するための手段】
【０００５】
この発明による遠視用レンズは、携帯電話用バッテリカバーを構成するための、電話ボディに着脱自在であるカバー本体と一体化されうるようになされているものである。
【０００６】
この発明による携帯電話用バッテリカバーは、電話ボディに着脱自在であるカバー本体を備えており、カバー本体に遠視用レンズが設けられているものである。
【０００７】
この発明によるバッテリカバーを、商品としての携帯電話にバッテリカバーを生産工場で組み込んでもよいし、あるいは、この発明によるバッテリカバーを、既に市場に出回っている携帯電話のバッテリカバーと互換性のあるものとすると、レンズ機能の付いたバッテリカバーとして商品になる。
【０００８】
さらに、カバー本体と遠視用レンズが射出成形により一体成形されていることが好ましい。
【０００９】
また、カバー本体にあけられた孔に遠視用レンズがはめ込まれて双方が接着されていてもよい。
【００１０】
また、カバー本体および遠視用レンズが重ねあわされて双方が接着されていてもよい。
【００１１】
この発明による携帯電話は、上記に記載の携帯電話用バッテリカバーを備えているものである。
【００１２】
この発明による携帯電話では、遠視用レンズがバッテリカバーと一体化されているから、携帯電話を取り扱う上で、遠視用レンズが邪魔にならない。
【発明の効果】
【００１３】
この発明によれば、携帯電話を取扱う上で邪魔にならない、遠視用レンズ、その遠視用レンズを備えた携帯電話用バッテリカバーおよびそのバッテリカバーを備えた携帯電話が提供される。
【発明を実施するための最良の形態】
【００１４】
この発明の実施の形態を図面を参照しながらつぎに説明する。
【００１５】
図１を参照すると、携帯電話は、折畳み式電話ボディ11を有している。電話ボディ11は、ヒンジ21によって連結されている液晶側ボディ22およびバッテリ側ボディ23よりなる。バッテリ側ボディ23の右縁部上端にはアンテナ24が設けられている。
【００１６】
バッテリ側ボディ23の裏面には、バッテリ31を収納したバッテリ室32が形成されている。バッテリ室32は、正対視略正方形状のもので、左方を開放している。バッテリ室32の開口には、これとほぼ同形状の略正方形板状バッテリカバー33が被覆されている。
【００１７】
バッテリカバー33は、左右方向に僅かにスライドさせることによってバッテリ室32の開口縁部に着脱されるようになっている略平板状カバー本体41と、カバー本体41の中央に設けられかつ光をカバー本体41の表裏方向に透過させる遠視用レンズ42とよりなる。
【００１８】
図示しないが、バッテリ室32の開口縁部およびカバー本体41の適所には、同開口縁部およびカバー本体41を係合するための突起、爪等、凹所等が形成されている。
【００１９】
カバー本体41の左縁部には、バッテリ室32の左方開放部を被覆するための屈曲縁部51が設けられている。カバー本体41の裏面四隅には４つの突起52が設けられている。
【００２０】
遠視用レンズ42は、凸レンズ42であって、略球体の一部をなすようにカバー本体41の裏面側に突出させられている。
【００２１】
図２示すように、バッテリカバー33は、カバー本体41およびレンズ42を透明プラスチックによって一体成形したものである。成形は、射出成形による。
【００２２】
また、図２示すように、レンズ42の高さよりも突起52の高さの方が僅かな高さαだけ高くなっている。この高さαの差の分、携帯電話を平面台の上に置いたときに、レンズ42が平面台と接触しないようになっている。また、α＝０でもよい。
【００２３】
図３には、変形例によるバッテリカバー33が示されている。この変形例によるバッテリカバー33では、カバー本体61に丸孔61ａがあけられ、これにレンズ62がぴったしはめ込まれている。丸孔62周面およびレンズ42外周面は、接着剤によって接着されている。この場合、レンズ62は、例えば、ガラスによって製造することも可能であり、カバー本体61の材質とは異なるプラスチック、例えば、アクリル樹脂、ポリカーボネート、高密度ポリエチレンとしてもよい。
【００２４】
図４には、他の変形例によるバッテリカバー33が示されている。この変形例によるバッテリカバー33では、カバー本体71およびレンズ72が密着させられるように重ね合わされて、双方の密着部分の適所が接着されている。
【００２５】
図５には、図１に示す突起に代わり、カバー本体41の外周にそって連続してのびかつ突起52と同様の機能を果たす環状突条81が設けられている。
【００２６】
上記の例は、いずれも一般的な球面レンズ42であったが、図６に示すバッテリカバー33は、図３に示す球面レンズ42に代わって、カバー本体91にあけられた孔91ａにフレネルレンズ92がはめ込まれている。フレネルレンズ92は、略平板状のものであるから、フレネルレンズ92を採用することにより、バッテリカバー33の全体を嵩張らない、コンパクトに構成することができる。フレネルレンズ91を用いる場合、突起52、突条81は、あっても差し支えないが、無くてもよい。また、フレネルレンズ92を用いる場合も、これをカバー本体91と一体成形してもよい。
【図面の簡単な説明】
【００２７】
【図１】この発明による携帯電話を裏面側から見た斜視図である。
【図２】この発明によるバッテリカバー33の断面図である。
【図３】同バッテリカバー33の変形例を示す断面図である。
【図４】同バッテリカバー33の他の変形例を示す断面図である。
【図５】同バッテリカバー33の突起に代わる変形例を示す断面図である。
【図６】同バッテリカバー33の他の変形例を示す図３相当の断面図である。
【符号の説明】
【００２８】
33  バッテリカバー
41  カバー本体
42  レンズ
【図１】
2006114952.tif 000003
【図２】
2006114952.tif 000004
【図３】
2006114952.tif 000005
【図４】
2006114952.tif 000006
【図５】
2006114952.tif 000007
【図６】
2006114952.tif 000008